(57)【特許請求の範囲】
【請求項１】
内線電話制御装置及び該内線電話制御装置によって制御される所定数の電話機等の端末とから構成されるグループ通話機能を有する電話会議システムにおいて、
前記内線電話制御装置は、
前記グループ会議のメンバ構成に加えて、グループ結合開催特番またはグループ離脱開催特番が格納されていると共に、前記端末ごとのグループ組み合わせが登録されている記憶領域と、
前記グループの登録、グループ会議通話の開催、特番の処理を行え、通話を保ったまま通話先を変更する転送機能を有している呼制御モジュールと、
複数のグループ会議通話の開催が可能な会議通話モジュールとを有し、
あるグループの会議通話の開催中に、該グループの会議通話に参加している中で、他のグループの会議通話の開催権限のある端末が保留を行うと共に、グループ結合開催特番またはグループ離脱開催特番と他のグループの会議通話の開催特番を発呼したとき、前記呼制御モジュールにより前記記憶領域を参照して、前記グループ結合開催特番の発呼時に通話中のあるグループ通話に他のグループ通話のメンバを参入させるグループ通話結合機能を実行可能に制御すると共に、前記グループ離脱開催特番の発呼時に通話中のあるグループ通話から特定のメンバのみを離脱させて他のグループ通話に通話を切断することなく転送するグループ通話離脱機能を実行可能に制御するグループ通話結合／離脱機能を有することを特徴とする電話会議システム。
【発明の詳細な説明】
【技術分野】
【０００１】
本発明は電話システムに係り、特に、無線内線電話システム等による会議通話システムで、通話中のグループ通話に他のグループ通話のメンバを参入させたり、通話中のグループ通話から通話を切断することなく他のグループ通話に離脱したりすることを可能にするグループ通話結合／離脱機能を有する電話会議システムに関する。
【背景技術】
【０００２】
図５は、従来の無線内線電話システム等による電話会議システムの構成を説明するために示すブロック図である。
【０００３】
すなわち、従来の電話会議システムは、内線電話制御装置１１と、この内線電話制御装置１によって制御される所定数の電話機等の端末１２とから構成される。
【０００４】
この場合、内線電話制御装置１１には、呼制御モジュール１１ａと、会議通話モジュール１１ｂと、各会議のグループメンバが登録されている記憶領域１１ｃとが備えられている。
【０００５】
このような無線内線電話システム等による従来の電話会議システムにおいて、あるグループによる電話会議を行う場合、内線電話制御装置１１の呼制御モジュール１１ａと会議通話モジュール１１ｂとにより、特定の端末１２からそのグループ会議の特番が発呼されると、その会議のためのメンバが登録されている記憶領域１１ｃを参照して、そのメンバを招集することにより、そのグループによる電話会議を開催することになる。
【発明の開示】
【発明が解決しようとする課題】
【０００６】
ところで、このような無線内線電話システム等による従来の電話会議システムにおいて、ある会議の通話中に別の会議を行う場合、内線電話制御装置１１の呼制御モジュール１１ａと会議通話モジュール１１ｂとにより、各端末１２における一端終話で通話を終了し、改めて特定の端末１２からの会議の特番が発呼されると、その会議のためのメンバが登録されている記憶領域１１ｃを参照して、そのメンバを招集することによりその別の会議会議を開催することになる。
【０００７】
また、この場合、招集メンバが元の会議通話や他の会議通話に参加しているときには、内線電話制御装置１１の呼制御モジュール１１ａと会議通話モジュール１１ｂとにより、各会議のグループメンバが登録されている記憶領域１１ｃを参照して、それぞれのメンバが終話しない限りそのメンバを招集することはできない。
【０００８】
また、グループ会議は定められたメンバのみを招集する必要があるため、あるグループ会議にメンバを追加したい場合、内線電話制御装置１１の呼制御モジュール１１ａと会議通話モジュール１１ｂとにより、各会議のグループメンバが登録されている記憶領域１１ｃを参照して、参加者を一人一人呼び出す必要がある。
【０００９】
このような制約により、従来の電話会議システムにおいては、より柔軟なグループ会議を開催することが困難であるという問題を有している。
【００１０】
そこで、本発明は以上のような点に鑑みてなされたもので、その目的とするところは、複数の会議通話に参加者が重なって設定されているような環境において、他の会議通話で通話中のメンバも強制的に会議通話に招集したり、ある会議通話に他の会議通話のメンバをまとめて招集したりすることができる電話会議システムを提供することである。
【課題を解決するための手段】
【００１１】
本発明によると、上記課題を解決するために、
内線電話制御装置及び該内線電話制御装置によって制御される所定数の電話機等の端末とから構成されるグループ通話機能を有する電話会議システムにおいて、
前記内線電話制御装置は、
前記グループ会議のメンバ構成に加えて、グループ結合開催特番またはグループ離脱開催特番が格納されていると共に、前記端末ごとのグループ組み合わせが登録されている記憶領域と、
前記グループの登録、グループ会議通話の開催、特番の処理を行え、通話を保ったまま通話先を変更する転送機能を有している呼制御モジュールと、
複数のグループ会議通話の開催が可能な会議通話モジュールとを有し、
あるグループの会議通話の開催中に、該グループの会議通話に参加している中で、他のグループの会議通話の開催権限のある端末が保留を行うと共に、グループ結合開催特番またはグループ離脱開催特番と他のグループの会議通話の開催特番を発呼したとき、前記呼制御モジュールにより前記記憶領域を参照して、前記グループ結合開催特番の発呼時に通話中のあるグループ通話に他のグループ通話のメンバを参入させるグループ通話結合機能を実行可能に制御すると共に、前記グループ離脱開催特番の発呼時に通話中のあるグループ通話から特定のメンバのみを離脱させて他のグループ通話に通話を切断することなく転送するグループ通話離脱機能を実行可能に制御するグループ通話結合／離脱機能を有することを特徴とする電話会議システムが提供される。
【発明の効果】
【００１２】
本発明によると、複数の会議通話に参加者が重なって設定されているような環境において、他の会議通話で通話中のメンバも強制的に会議通話に招集したり、ある会議通話に他の会議通話のメンバをまとめて招集したりすることができるようにしているので、従来のような制約をなくして、より柔軟なグループ会議を容易に開催することが可能な電話会議システムをを実現することができる。
【発明を実施するための最良の形態】
【００１３】
以下図面を参照して本発明の実施の形態について説明する。
【００１４】
図１は、本発明の無線内線電話システム等による電話会議システムの構成を説明するために示すブロック図である。
【００１５】
すなわち、本発明による電話会議システムは、基本的には、内線電話制御装置２１及び該内線電話制御装置２１によって制御される所定数の電話機等の端末２２１、２２２…２２ｎとから構成されるグループ通話機能を有する電話会議システムにおいて、前記内線電話制御装置２１は、前記グループ会議のメンバ構成に加えて、グループ結合開催特番またはグループ離脱開催特番が格納されていると共に、前記端末ごとのグループ組み合わせが登録されている記憶領域２１ｃと、前記グループの登録、グループ会議通話の開催、特番の処理を行え、通話を保ったまま通話先を変更する転送機能を有している呼制御モジュール２１ａと、複数のグループ会議通話の開催が可能な会議通話モジュール２１ｂとを有し、あるグループの会議通話の開催中に、該グループの会議通話に参加している中で、他のグループの会議通話の開催権限のある端末が保留を行うと共に、グループ結合開催特番またはグループ離脱開催特番と他のグループの会議通話の開催特番を発呼したとき、前記呼制御モジュール２１ａにより前記記憶領域２１ｃを参照して、前記グループ結合開催特番の発呼時に通話中のあるグループ通話に他のグループ通話のメンバを参入させるグループ通話結合機能を実行可能に制御すると共に、前記グループ離脱開催特番の発呼時に通話中のあるグループ通話から特定のメンバのみを離脱させて他のグループ通話に通話を切断することなく転送するグループ通話離脱機能を実行可能に制御するグループ通話結合／離脱機能を有することを特徴としている。
【００１６】
具体的には、図１に示すように、本発明の電話会議システムは、内線電話制御装置２１と、この内線電話制御装置２１によって制御される所定数の電話機等の端末２２１、２２２…２２ｎ（この場合、ｎ＝７とする）とから構成される。
【００１７】
この場合、内線電話制御装置２１には、呼制御モジュール２１ａと、会議通話モジュール２１ｂと、各会議のグループメンバが登録されている記憶領域２１ｃとが備えられている。
【００１８】
ここで、呼制御モジュール２１ａは、グループの登録、グループ会議通話の開催、特番の処理を行え、通話を保ったまま通話先を変更する転送機能を有している。
【００１９】
また、会議通話モジュール２１ｂは、複数のグループ会議通話の開催が可能な十分な容量を有している。
【００２０】
記憶領域２１ｃは、各グループ会議のメンバ構成に加えて、グループ結合開催特番、グループ離脱開催特番が格納されていると共に、例えば、図２に示すような、端末２２１、２２２…２２７ごとのグループ組み合わせが登録されている。
【００２１】
このグループ組み合わせとしては、図２の場合、グループ１が端末２２１、２２２、２２３、２２４、グループ２が端末２２１、２２２、２２５、グループ３が端末２２４、２２５、２２６、２２７となされている。
【００２２】
図３は、本発明の電話会議システムによる結合グループ会議通話の動作の一例として、開催中のあるグループ会議に他の会議通話を結合して新たな会議通話を開催する場合を説明するために示す図である。
【００２３】
次に、図３を参照して本発明の電話会議システムによる結合グループ会議通話の動作の一例につき説明する。
【００２４】
すなわち、図３に示すように、端末２２１、２２２、２２３、２２４によるグループ１の会議通話の開催中に、該グループ１の会議通話に参加している中で、グループ３の会議通話の開催権限のある端末２２４が保留を行い、グループ結合開催特番とグループ３の会議通話の開催特番を押下したとする。
【００２５】
内線電話制御装置２１の呼制御モジュール２１ａは、記憶領域２１ｃを参照して、端末２２４からの特番を解釈し、グループ会議３を開催し、会議通話モジュール２１ｂを介して、グループ１の会議通話の音声をグループ３の端末２２４、２２５、２２６、２２７に流すと共に、グループ３の会議通話の音声をグループ１の端末２２１、２２２、２２３、２２４に流す。
【００２６】
これにより、実質的にグループ１の端末２２１、２２２、２２３、２２４＋グループ３の端末２２４、２２５、２２６、２２７の結合会議通話が実現する。
【００２７】
すなわち、通話中のあるグループ通話に他のグループ通話のメンバを参入させるグループ通話結合機能を有する電話会議システムが実現される。
【００２８】
図４は、本発明の電話会議システムによる離脱グループ会議通話の動作の一例として、開催中のあるグループ会議から特定の会議のメンバのみを強制的に離脱させて、あるグループ会議から離脱させたメンバを含む新たな会議通話を開催する場合を説明するために示す図である。
【００２９】
次に、図４を参照して本発明の電話会議システムによる離脱グループ会議通話の動作の一例につき説明する。
【００３０】
すなわち、図４に示すように、端末２２１、２２２、２２３、２２４によるグループ１の会議通話の開催中に、該グループ１の会議通話に参加している中で、グループ２の会議通話の開催権限のある端末２２１が保留を行い、グループ離脱開催特番とグループ２の会議通話の開催特番を押下したとする。
【００３１】
内線電話制御装置２１の呼制御モジュール２１ａは、記憶領域２１ｃを参照して、端末２２１からの特番を解釈し、グループ会議２を開催し、会議通話モジュール２１ｂを介して、グループ１の会議通話中のグループ２のメンバである端末２２１、２２２のみをグループ１の会議通話から強制的に離脱させて、このグループ１の会議通話から離脱させたメンバである端末２２１、２２２をグループ２の会議通話に転送する。
【００３２】
これにより、グループ１の会議通話からグループ２の会議通話のメンバである端末２２１と端末２２２は離脱し、残りの端末２２３、端末２２４のみがグループ１の会議通話を形成し、端末２２１、端末２２２と端末２２５がグループ２の会議通話を形成する。
【００３３】
以上で、端末２２１、端末２２２は通話を切断することなくグループ２の会議通話に移行する。
【００３４】
すなわち、通話中のあるグループ通話から特定のメンバのみを離脱させて他のグループ通話に通話を切断することなく転送するグループ通話離脱機能の少なくとも一方を可能にするグループ通話離脱機能を有する電話会議システムが実現される。
【００３５】
なお、本発明は、上記しかつ図示した実施の形態に限定されることなく、本発明の要旨を逸脱しない範囲で、種々の変形や適用が可能であることは言うまでもない。
【００３６】
例えば、本発明による電話会議システムは、請求項１に記載した発明に限らず、内線電話制御装置２１及び該内線電話制御装置２１によって制御される所定数の電話機等の端末２２１、２２２…２２ｎとから構成されるグループ通話機能を有する電話会議システムにおいて、前記内線電話制御装置２１は、前記グループ会議のメンバ構成に加えて、グループ結合開催特番が格納されていると共に、前記端末ごとのグループ組み合わせが登録されている記憶領域２１ｃと、前記グループの登録、グループ会議通話の開催、特番の処理を行え、通話を保ったまま通話先を変更する転送機能を有している呼制御モジュール２１ａと、複数のグループ会議通話の開催が可能な会議通話モジュール２１ｂとを有し、あるグループの会議通話の開催中に、該グループの会議通話に参加している中で、他のグループの会議通話の開催権限のある端末が保留を行うと共に、グループ結合開催特番と他のグループの会議通話の開催特番を発呼したとき、前記呼制御モジュール２１ａにより前記記憶領域２１ｃを参照して、通話中のあるグループ通話に他のグループ通話のメンバを参入させるグループ通話結合機能を実行可能に制御するものであっても良い。
【００３７】
また、本発明による電話会議システムは、請求項１に記載した発明に限らず、内線電話制御装置２１及び該内線電話制御装置２１によって制御される所定数の電話機等の端末２２１、２２２…２２ｎとから構成されるグループ通話機能を有する電話会議システムにおいて、前記内線電話制御装置２１は、前記グループ会議のメンバ構成に加えて、グループ離脱開催特番が格納されていると共に、前記端末ごとのグループ組み合わせが登録されている記憶領域２１ｃと、前記グループの登録、グループ会議通話の開催、特番の処理を行え、通話を保ったまま通話先を変更する転送機能を有している呼制御モジュール２１ａと、複数のグループ会議通話の開催が可能な会議通話モジュール２１ｂとを有し、あるグループの会議通話の開催中に、該グループの会議通話に参加している中で、他のグループの会議通話の開催権限のある端末が保留を行うと共に、グループ離脱開催特番と他のグループの会議通話の開催特番を発呼したとき、前記呼制御モジュール２１ａにより前記記憶領域２１ｃを参照して、前記グループ離脱開催特番の発呼時に通話中のあるグループ通話から特定のメンバのみを離脱させて他のグループ通話に通話を切断することなく転送するグループ通話離脱機能を実行可能に制御するするものであっても良い。
【００３８】
さらには、本発明による電話会議システムは、請求項１に記載した発明に限らず、内線電話制御装置２１及び該内線電話制御装置２１によって制御される所定数の電話機等の端末２２１、２２２…２２ｎとから構成されるグループ通話機能を有する電話会議システムにおいて、前記内線電話制御装置２１は、前記グループ会議のメンバ構成に加えて、グループ結合開催特番、グループ離脱開催特番が格納されていると共に、前記端末ごとのグループ組み合わせが登録されている記憶領域２１ｃと、前記グループの登録、グループ会議通話の開催、特番の処理を行え、通話を保ったまま通話先を変更する転送機能を有している呼制御モジュール２１ａと、複数のグループ会議通話の開催が可能な会議通話モジュール２１ｂとを有し、あるグループの会議通話の開催中に、該グループの会議通話に参加している中で、他のグループの会議通話の開催権限のある端末が保留を行うと共に、グループ結合開催特番と他のグループの会議通話の開催特番を発呼したとき、前記呼制御モジュール２１ａにより前記記憶領域２１ｃを参照して、通話中のあるグループ通話に他のグループ通話のメンバを参入させるグループ通話結合機能を実行可能に制御すると共に、あるグループの会議通話の開催中に、該グループの会議通話に参加している中で、他のグループの会議通話の開催権限のある端末が保留を行うと共に、グループ離脱開催特番と他のグループの会議通話の開催特番を発呼したとき、前記呼制御モジュール２１ａにより前記記憶領域２１ｃを参照して、通話中のあるグループ通話から特定のメンバのみを離脱させて他のグループ通話に通話を切断することなく転送するグループ通話離脱機能を実行可能に制御するものであっても良い。
【図面の簡単な説明】
【００３９】
【図１】図１は、本発明の無線内線電話システム等による電話会議システムの構成を説明するために示すブロック図である。
【図２】図２は、本発明によるグループ会議通話のために端末ごとのグループ組み合わせ示す図である。
【図３】図３は、本発明の電話会議システムによる結合グループ会議通話の動作の一例として、開催中のあるグループ会議に他の会議通話を結合して新たな会議通話を開催する場合を説明するために示す図である。
【図４】図４は、本発明の電話会議システムによる離脱グループ会議通話の動作の一例として、開催中のあるグループ会議から特定の会議のメンバのみを強制的に離脱させて、あるグループ会議から離脱させたメンバを含む新たな会議通話を開催する場合を説明するために示す図である。
【図５】図５は、従来の無線内線電話システム等による電話会議システムの構成を説明するために示すブロック図である。
【符号の説明】
【００４０】
２１…内線電話制御装置、
２２１、２２２…２２ｎ…定数の電話機等の端末、
２１ｃ…記憶領域と、
２１ａ…呼制御モジュール、
２１ｂ…会議通話モジュール。
【図１】
0005109052.tif 000002
【図２】
0005109052.tif 000003
【図３】
0005109052.tif 000004
【図４】
0005109052.tif 000005
【図５】
0005109052.tif 000006